(57)【要約】      （修正有）【課題】道路、河川、公園、沼等の法面環境又は水中生態系コンクリートブロックの直線施工ばかりでなく曲線施工も容易として大型製品でも連結部の数を少なくしてなる生態系空連結ブロックの連結方法の提供。【解決手段】ブロックの側面の要部要部を半楕円型又は細長型の開孔部１とし、ここに側面と平行に平面直線的に鉄筋Ｂを露出させ施工時隣接される他のブロックの開孔部よりの露出鉄筋とをガイド可能連結金具Ｃ−１で連結してなる生態系空連結コンクリートブロックの連結方法。【選択図】    図１
2004270257.tif 000002
【特許請求の範囲】
【請求項１】
隣接ブロックの連結部にコンクリートやモルタルを使用しない空連結コンクリートブロックに於いてブロックの側面の要部要部を半楕円型又は細長型の開孔部とし、ここに側面と平行に平面直線的に鉄筋を露出させ施工時隣接される他のブロックの開孔部よりの露出鉄筋とをガイド可能連結金具で連結してなる生態系空連結コンクリートブロックの連結方法。
【発明の詳細な説明】
【０００１】
【産業上の利用分野】
本発明は、道路、河川、公園、沼等の法面環境又は水中生態系コンクリートブロックの直線施工ばかりでなく曲線施工も容易としてなる生態系空連結ブロックの連結方法に関するものである。
【０００２】
【従来の技術】
これまで隣接されるコンクリートブロックの連結方法には、ジョイント部を金具で連結しここの開孔部にコンクリート又はモルタルを充填し固定強固にする方法。
これには、
▲１▼  実願昭４９−９８０４２号（出願日  昭和４９年８月１６日）
▲２▼  特開昭５３−６７２３０号（出願日  昭和５１年１１月２５日）
▲３▼  特許登録第１７７７９８５号（出願日  昭和６２年４月１３日）等があった。
【０００３】
反面、開口部にコンクリートやモルタルを充填しないで植栽土を入れ草花を植栽する空連結の方法には、
▲４▼  特開平６−２６０２１号（出願日  平６年７月７日）
▲５▼  特開平７−２５９８２１号（出願日  平６年３月１８日）等があった。
▲６▼  特開２００２−２０６２２５号（出願日  平１３年１月９日）等があった。
【０００４】
しかし、これらの装置と方法には次の様な課題と欠点があった。
【０００５】
▲１▼  ▲２▼  ▲３▼  いずれのブロックに於いても、ブロック本体の隅角部を傾斜して切断面とし、この箇所よりいずれも鉄線又はＵ字状鉄筋を露出させているために、４個のブロック間に施工凹凸誤差を生じた場合に鉄線長さが一定のため又は、Ｕ字状鉄筋の長さが一定にブロック４隅より露出させているために、鉄線の結束又は、連結金具の施工に困難を極め施工能率が悪かったばかりか、カーブ施工が不可能であった。
【０００６】
加えて、コンクリートやモルタルを充填しないと強度が弱かったり、施工後の河川流速や地盤の変化で連結の効果が薄れ役目を果たせない心配もあった。
【０００７】
▲４▼  ▲５▼  ▲６▼  の  開口部にコンクリートやモルタルを充填しない空連結の方法に於いても、▲１▼  ▲２▼  ▲３▼  同様な欠点があったばかりか、接合部が４個のブロックで水中根固めブロックの様に接地面積も質量も大きく（３ｔｏｎ〜５ｔｏｎ／個）成ると連結金具の太さも太く成りその取り付けに更なる困難を極め水中施工などは無理であった。
【０００８】
そこで、本件の発明者達人は、従来の製品の納入実績や施工方法を熟知しながら、これらの課題を解決するために本発明を次の様な課題をもって完成したものである。
【０００９】
【発明が解決しようとする課題】
▲１▼  ジョイント部にコンクリートやモルタルを使用しない生態系空連結コンクリートブロックの連結方法の課題とする。
【００１０】
▲２▼  製品本体の製造が容易で有る事に加え、製造時の型枠、ストック、小運搬、施工吊り手にも利用出来る課題とする。
【００１１】
▲３▼  使用条件と連結（結束）強度に応じた多種多様な金具を使用出来る様な本体ブロックよりの連結用露出鉄筋とすると同時にコストも安価である課題とする。
【００１２】
▲４▼  製品施工誤差を生じても、多少のカーブで有っても容易に連結される課題とすると同時に陸上では植栽出来る様にすると共に水中使用では小魚貝類の生息を考慮課題とする。
【００１３】
【課題を解決するための手段】
この出願発明は、従来製品の様にブロックの隅角部に傾斜させて連結部を構築するのでは無く、ブロックの側壁に複数個の開孔部を設け、施工現場がカーブを有する場合は、開口部の長さを長く調整し、この開口部に側面と平行に鉄筋を露出させ、隣接ブロックの鉄筋とをガイドさせて現地使用条件と連結（結束）強度に応じた多種多様な連結金具を使用出来る手段とする。
【００１４】
【発明の実施の形態】
▲１▼  この発明の露出鉄筋は、施工後の連結結束ばかりで無く、製造時の脱型、工場ストック、運搬、施工時の安全な製品吊り手としても使用出来て安価で有る事が望ましい。
【００１５】
▲２▼  長型で大型１０００ｍｍ×２０００ｍｍ、重さ３０００ｋｇ／個〜５０００ｋｇ／個程度の製品や最低で１０００ｍｍ×１０００ｍｍ  重さ４００ｋｇ／個〜５００ｋｇ／個程度の製品でも使用出来ブロック間の連結方法である事が望ましい。
【００１６】
▲３▼  連結金具は現地の水質や流速、耐用年数、製品の大きさ重さ等による連結強度に応じた多種多様な金具を選択して使用出来る事が望ましい。
【００１７】
▲４▼  製品が大きくとも結束箇所が少なくて多少のカーブにも容易に施工出来る事が望ましい。
【００１８】
▲５▼  加えて、大型魚の入れない小魚貝類の生息可能な水中魚床の根固めブロックの提供出来る事が望ましい。
【００１９】
【実施例】
次に、この発明を実施例により説明するが、この発明は実施例に限定されるものではない。
【００２０】
図１は本発明の連結部の要部拡大平面図と代表的連結金具の平面を示した標準的ブロックの連結状態を示した施工概要平面図であり、図２は要部拡大平面を示したカーブ施工時の標準的ブロックの連結状態を示した施工概要平面図であり、図３はガイド可能連結金具をチェンとシャックルとした小魚貝類生息の水中魚床根固め連結ブロック製品一個の斜視概要図であり、Ａ−１、Ａ−２、Ａ−Ｎは連結ブロックを、Ｂは露出鉄筋を、Ｃ−１、Ｃ−２、Ｃ−Ｎはガイド可能連結金具を、Ｄは植栽土を、１は開口部を、２はブロック内の植栽開口部を、３は環境ブロックとしての凸部を、４は開口部よりの小魚貝類貫通孔を、５は小魚貝類生息可能なる空洞部を有する擬石凸部を、６は擬石凸部の横細長としてなる魚貝類貫通孔をそれぞれ示す。
【００２１】
実施例
まず、図１で直線部に使用される  隣接ブロックの連結開孔部にコンクリートやモルタルを使用しない法面植栽用の連結ブロックＡ−１の実施例で説明すると、連結ブロックＡ−１の長手側面部の要所要所（この実施例ではブロックの長さの１／４、製品の長さが２ｍでは、両端から５０ｃｍ、製品の長さが３ｍでは、７５ｃｍ）に開口部１（直線部に使用されるものは半楕円形状でも良い）を片側面に２箇所、両側面で４箇所に設け、ここより露出鉄筋Ｂを連結ブロックＡ−１の側面と平行に平面直線的に露出させた製品とし、施工時隣接される他の連結ブロックＡ−２の開孔部１よりの露出鉄筋Ｂとをガイド可能連結金具Ｃ−１（この実施例では両端部を９０°かそれ以上折り曲げたスクリュー金具）で連結して施工が終わったら開口部１と開口部１の組み合わせ開口部とブロック隣接隙間に植栽土Ｄを入れて草花を植栽してなる生態系空連結コンクリートブロックの連結方法である。
【００２２】
図２でカーブ施工時の隣接ブロックの連結開孔部にコンクリートやモルタルを使用しない法面植栽用の連結ブロックＡ−１の実施例で説明すると、連結ブロックＡ−１の長手側面部の要所要所（この実施例でもブロックの長さの１／４、製品の長さが２ｍでは、両端から５０ｃｍ、製品の長さが３ｍでは、７５ｃｍ）に開口部１を（カーブ半径が小さいとこの実施例図より長く細長型状）を片側面に２箇所、両側面で４箇所に設け、ここより露出鉄筋Ｂを連結ブロックＡ−１の側面と平行に平面直線的に露出させた製品とし、施工時隣接される他の連結ブロックＡ−２をカーブに合わせて施工し、施工された連結ブロックＡ−１と連結ブロックＡ−２、又は  連結ブロックＡ−２と連結ブロックＡ−Ｎ、の露出鉄筋Ｂとをガイド可能連結金具Ｃ−２（この実施例ではシャックル金具であるが隙間が大きい場合は図３に図示したチェンとシャックルＣ−Ｎで連結しても良い）で連結し、この隙間に植栽土Ｄを入れて草花を植栽してなるカーブ施工の生態系空連結コンクリートブロックの連結方法である。
【００２３】
【発明の効果】
▲１▼  この発明は、製造時コンクリート打設面の開孔部アタチメント（通常はゴム）より直線的鉄筋をブロック側面に平行に露出させるために図示してないがコンクリートに埋設される輪郭鉄筋（主鉄筋）を利用して露出させられるために改まった露出鉄筋を必要としないので安価であるばかりか強靭である。
【００２４】
▲２▼  輪郭鉄筋の露出は、施工後の連結結束鉄筋としてばかりで無く、製造時の脱型、工場ストック、運搬、施工時の安全な製品吊り手としても使用出来る効果がある。
【００２５】
▲３▼  図示してないが、１０００ｍｍ×１０００ｍｍ  重さ４００ｋｇ／個〜５００ｋｇ／個程度の小型の製品でも開口部をブロックの４面の側面の中央に設け鉄筋を露出させる事により碁盤の目連結方法とする事も可能である。
【００２６】
▲４▼  開口部より平行に鉄筋露出されているので、連結金具は現地の水質や流速、耐用年数、製品の大きさ重さ等による連結（結束）強度に応じた多種多様な金具を選択出来る。
【００２７】
▲５▼  製品の開口部の形状を細長くし、ここより鉄筋を露出さしているので大型で質量が大きい製品でも結束箇所が少なくて多少のカーブにも容易に施工出来る。
【００２８】
▲６▼  どんな製品でも開口部よりの２本の鉄筋の隣接鉄筋の間の連結なので従来の様に３又は４箇所よりの鉄線結束又はフック鉄筋の連結方法でないので多少の地盤の凹凸や施工ズレが生じたとしても施工が容易である。
【００２９】
加えて、図３の様に凸部に横細長の小魚貝類貫通孔を設けた魚貝類生息可能なる擬石凸部５を空洞とし、連結部の開口部よりの比較的大きい魚貝類貫通孔４と空洞としても、この開口部１の露出鉄筋Ｂ．Ｂやガイド可能連結金具Ｃ−Ｎにより大型魚（ナマズ、雷魚、ブラックバス等）の入る事の出来ない小魚貝類生息出来る水中魚床の根固めブロックも提供出来るものである。
【図面の簡単な説明】
【図１】は本発明の連結部の要部拡大平面図と代表的連結金具の平面を示した標準的ブロックの連結状態を示した施工概要平面図。
【図２】は要部拡大平面を示したカーブ施工時の標準的ブロックの連結状態を示した施工概要平面図。
【図３】はガイド可能連結金具をチェンとシャックルとした小魚貝類生息の水中魚床根固め連結ブロック製品一個の斜視概要図。
【符号の説明】
Ａ−１、Ａ−２、Ａ−Ｎ  連結ブロック
Ｂ  露出鉄筋
Ｃ−１、Ｃ−２、Ｃ−Ｎ  ガイド可能連結金具
Ｄ  植栽土
１  開口部
２  ブロック内の植栽開口部
３  環境ブロックとしての凸部
４  開口部よりの魚貝類貫通孔
５  小魚貝類生息可能なる擬石凸部（中空洞）
６  擬石凸部の横細長魚貝類貫通孔
【図１】
2004270257.tif 000003
【図２】
2004270257.tif 000004
【図３】
2004270257.tif 000005